(57)【要約】【課題】大便器と小便器とを設ける場合においても、車いす利用者のための十分な移乗スペースを確保しつつ、ユニット全体をコンパクト化できるトイレユニットを提供する。【解決手段】大便器を設置するための第１前面板を有する大便器用ライニングと、前記大便器と並べて小便器を設置するための第２前面板を有する小便器用ライニングと、前記第１前面板と前記第２前面板との間に設けられた第３前面板と、を備えたことを特徴とするトイレユニットである。【選択図】図１
2019070265.tif 000002
【特許請求の範囲】
【請求項１】
大便器を設置するための第１前面板を有する大便器用ライニングと、
前記大便器と並べて小便器を設置するための第２前面板を有する小便器用ライニングと、
前記第１前面板と前記第２前面板との間に設けられた第３前面板と、
を備えたことを特徴とするトイレユニット。
【請求項２】
前記小便器用ライニングは、前記第２前面板を支持するフレームを、さらに有し、
前記第３前面板は、前記フレームに着脱可能に取り付けられることを特徴とする請求項１記載のトイレユニット。
【請求項３】
前記第３前面板は、ベビーチェアを設置するための前面板であることを特徴とする請求項１記載のトイレユニット。
【請求項４】
前記第３前面板の横方向の長さは、前記第２前面板の横方向の長さの半分よりも長いことを特徴とする請求項１〜３のいずれか１つに記載のトイレユニット。
【請求項５】
前記第２前面板に設置される小便器は、幼児用の小便器であることを特徴とする請求項１〜４のいずれか１つに記載のトイレユニット。
【請求項６】
前記大便器用ライニングは、手摺りを設置するための第４前面板を、さらに有し、
前記第４前面板は、前記第１前面板と前記第３前面板との間に設けられたことを特徴とする請求項１〜５のいずれか１つに記載のトイレユニット。
【請求項７】
前記第３前面板は、前記第１前面板及び前記第２前面板のそれぞれと面一であることを特徴とする請求項１〜６のいずれか１つに記載のトイレユニット。
【発明の詳細な説明】
【技術分野】
【０００１】
本発明の態様は、一般的に、トイレユニットに関する。
【背景技術】
【０００２】
大便器と小便器とを備えた多機能なトイレユニットがある（例えば、特許文献１、２）。多機能なトイレユニットでは、車いす利用者が、車いすから大便器に、及び大便器から車いすにスムーズに移乗できるよう、十分なスペースを確保することが求められている。
【０００３】
一方で、このようなトイレユニットでは、比較的狭いスペースにも設置できるよう、コンパクト化が求められている。しかしながら、狭いスペースに大便器と小便器とを設置しようとすると、車いす利用者の十分な移乗スペースを確保することが難しくなってしまう。
【０００４】
このため、多機能なトイレユニットでは、大便器と小便器とを設ける場合においても、車いす利用者のための十分な移乗スペースを確保しつつ、ユニット全体をコンパクト化できるようにすることが望まれる。
【先行技術文献】
【特許文献】
【０００５】
【特許文献１】特許第２８２８１２１号公報
【特許文献２】特許第２９７８３９４号公報
【発明の概要】
【発明が解決しようとする課題】
【０００６】
本発明は、かかる課題の認識に基づいてなされたものであり、大便器と小便器とを設ける場合においても、車いす利用者のための十分な移乗スペースを確保しつつ、ユニット全体をコンパクト化できるトイレユニットを提供することを目的とする。
【課題を解決するための手段】
【０００７】
第１の発明は、大便器を設置するための第１前面板を有する大便器用ライニングと、前記大便器と並べて小便器を設置するための第２前面板を有する小便器用ライニングと、前記第１前面板と前記第２前面板との間に設けられた第３前面板と、を備えたことを特徴とするトイレユニットである。
【０００８】
このトイレユニットによれば、大便器を設置する第１前面板と、小便器を設置する第２前面板と、の間に第３前面板を設けることにより、第３前面板の前方に車いす利用者のための移乗スペースを適切に確保することができる。また、第１前面板と第２前面板と第３前面板とを並べて配置することにより、大便器と小便器とを効率良く配置することができ、ユニット全体のコンパクト化を図ることもできる。従って、大便器と小便器とを設ける場合においても、車いす利用者のための十分な移乗スペースを確保しつつ、ユニット全体をコンパクト化できるトイレユニットを提供することができる。
【０００９】
第２の発明は、第１の発明において、前記小便器用ライニングは、前記第２前面板を支持するフレームを、さらに有し、前記第３前面板は、前記フレームに着脱可能に取り付けられることを特徴とするトイレユニットである。
【００１０】
このトイレユニットによれば、第３前面板をフレームに対して着脱可能とすることにより、例えば、第３前面板を取り外すことで、小便器用ライニング内の点検を容易に行うことが可能となる。例えば、車いす利用者の移乗スペースと、小便器用ライニングの点検用のスペースと、を同時に確保することができる。点検用のスペースを効率良く確保することができ、ユニット全体をよりコンパクト化し易くすることができる。
【００１１】
第３の発明は、第１の発明において、前記第３前面板は、ベビーチェアを設置するための前面板であることを特徴とするトイレユニットである。
【００１２】
このトイレユニットによれば、大便器のそばにベビーチェアを配置することができる。これにより、大便器を利用する保護者のそばに乳幼児を座らせることができ、保護者及び乳幼児の双方に安心感を与えることができる。例えば、乳幼児の不意な動作などに、保護者が対応し易くすることができる。また、第３前面板にベビーチェアを設置した場合、ベビーチェアの下方には、空間ができる。さらに、ベビーチェアの前端部は、大便器の前端部よりも後方に位置する。従って、第３前面板にベビーチェアを設置したとしても、ベビーチェアが車いす利用者の妨げになってしまうことを抑制することができる。このように、ベビーチェアをさらに設置した場合にも、大便器と小便器とベビーチェアとを効率良く配置することができ、ユニット全体のコンパクト化を図ることができる。
【００１３】
第４の発明は、第１〜第３のいずれか１つの発明において、前記第３前面板の横方向の長さは、前記第２前面板の横方向の長さの半分よりも長いことを特徴とするトイレユニットである。
【００１４】
このトイレユニットによれば、車いす利用者の移乗スペースを、より適切に確保することができる。
【００１５】
第５の発明は、第１〜第４のいずれか１つの発明において、前記第２前面板に設置される小便器は、幼児用の小便器であることを特徴とするトイレユニットである。
【００１６】
このトイレユニットによれば、大便器を利用する保護者のそばで幼児に小便器を利用させることができ、保護者及び幼児の双方に安心感を与えることができる。例えば、幼児の不意な動作などに、保護者が対応し易くすることができる。
【００１７】
第６の発明は、第１〜第５のいずれか１つの発明において、前記大便器用ライニングは、手摺りを設置するための第４前面板を、さらに有し、前記第４前面板は、前記第１前面板と前記第３前面板との間に設けられたことを特徴とするトイレユニットである。
【００１８】
このトイレユニットによれば、手摺りを設けることで、車いす利用者に大便器をより利用させ易くすることができる。また、手摺りは、利用者の握り易い程度の太さに設定される。第４前面板の左右方向の長さは、手摺りの太さに対応し、手摺りの太さよりも僅かに長い程度に設定される。従って、第１前面板と第３前面板との間に第４前面板を設けたとしても、ユニット全体が過度に大きくなることはない。すなわち、ユニット全体のコンパクト化を図りつつ、車いす利用者に対する利便性を向上させることができる。
【００１９】
第７の発明は、第１〜第６のいずれか１つの発明において、前記第３前面板は、前記第１前面板及び前記第２前面板のそれぞれと面一であることを特徴とするトイレユニットである。
【００２０】
このトイレユニットによれば、スッキリとした外観を提供することができ、トイレユニットの見栄えを向上させることができる。また、大便器を利用する保護者と小便器を利用する幼児との間において、互いを見易くすることができる。これにより、保護者及び幼児に、より安心感を与えることができる。
【発明の効果】
【００２１】
本発明の態様によれば、大便器と小便器とを設ける場合においても、車いす利用者のための十分な移乗スペースを確保しつつ、ユニット全体をコンパクト化できるトイレユニットが提供される。
【図面の簡単な説明】
【００２２】
【図１】第１の実施形態に係るトイレユニットを表す斜視図である。
【図２】第１の実施形態に係るトイレユニットを表す正面図である。
【図３】第１の実施形態に係るトイレユニットを表す正面図である。
【図４】第１の実施形態に係るトイレユニットの一部を表す拡大正面図である。
【図５】図５（ａ）及び図５（ｂ）は、第１の実施形態に係るトイレユニットの変形例を表す正面図である。
【図６】第２の実施形態に係るトイレユニットを表す正面図である。
【発明を実施するための形態】
【００２３】
以下、本発明の実施の形態について図面を参照しつつ説明する。なお、各図面中、同様の構成要素には同一の符号を付して詳細な説明は適宜省略する。
【００２４】
（第１の実施形態）  
図１は、第１の実施形態に係るトイレユニットを表す斜視図である。  
図２は、第１の実施形態に係るトイレユニットを表す正面図である。  
図１及び図２に表したように、トイレユニット１０は、大便器用ライニング１２と、小便器用ライニング１４と、を備える。
【００２５】
トイレユニット１０は、トイレ室ＴＲに設置される。トイレ室ＴＲは、第１壁面ＫＢ１と、第２壁面ＫＢ２と、を有する。第２壁面ＫＢ２は、第１壁面ＫＢ１と直交する。トイレユニット１０は、例えば、トイレ室ＴＲの第１壁面ＫＢ１と第２壁面ＫＢ２とのコーナー部分に設置される。
【００２６】
大便器用ライニング１２は、大便器１６を設置するための第１前面板３１を有する。大便器用ライニング１２は、第１壁面ＫＢ１に取り付けられる。また、大便器用ライニング１２は、第２壁面ＫＢ２に隣接して設置される。換言すれば、大便器用ライニング１２は、第１壁面ＫＢ１と第２壁面ＫＢ２とのコーナー部分に設置される。
【００２７】
大便器１６は、使用者が腰掛けた状態で用を足すことができる腰掛け式の便器である。大便器１６は、換言すれば、洋式腰掛便器である。また、この例において、大便器１６は、大便器用ライニング１２の前面に取り付けられる、いわゆる壁掛け式の大便器である。大便器１６は、壁掛け式に限ることなく、床置き式の大便器でもよい。
【００２８】
ここで、本願明細書においては、大便器用ライニング１２に背を向けて大便器１６に腰掛けた使用者からみた上方、下方、前方、後方、右側方、及び左側方を、それぞれ「上方」、「下方」、「前方」、「後方」、「右側方」、及び「左側方」とする。
【００２９】
大便器用ライニング１２は、内部空間を有する中空箱状である。第１前面板３１は、大便器用ライニング１２の前方部分に設けられ、大便器用ライニング１２の内部空間が前方に露出することを抑制する。
【００３０】
大便器用ライニング１２は、大便器１６の後方に設置され、大便器１６に接続される給水管やタンク、及び大便器１６を支持する支持機構などを内部に収納する。第１前面板３１は、換言すれば、大便器用ライニング１２の内部に収納された給水管やタンクなどが前方に露出することを抑制する。これにより、大便器用ライニング１２は、トイレ室ＴＲの美観を向上させる。
【００３１】
大便器１６の上には、便座装置１８が設けられている。便座装置１８は、大便器１６の上に載置される便座を有する。便座装置１８は、例えば、便座を介して大便器１６に腰掛けた使用者の「おしり」などの局部を洗浄する局部洗浄機能を有する衛生洗浄装置である。便座装置１８は、衛生洗浄装置に限ることなく、例えば、便座を温める暖房機能を有する暖房便座装置や、衛生洗浄機能や暖房機能などの機能を有しない普通便座などでもよい。便座装置１８は、少なくとも使用者が着座可能な便座を有する任意の装置でよい。
【００３２】
第１前面板３１には、背もたれ２０が設けられている。背もたれ２０は、便座装置１８の上方に配置され、前方を向いて大便器１６に着座した使用者の背中を支持可能とする。背もたれ２０は、必要に応じて設けられ、省略可能である。
【００３３】
第１前面板３１は、上部前面板３１ａと、下部前面板３１ｂと、を有する。第１前面板３１は、大便器１６の上端付近において、上下に二分割されている。これにより、例えば、壁掛け式の大便器１６の取り付け作業を行い易くすることできる。第１前面板３１は、二分割された構成に限ることなく、一枚の板状でもよいし、３つ以上に分割された構成でもよい。
【００３４】
小便器用ライニング１４は、大便器１６と並べて小便器２２を設置するための第２前面板３２を有する。小便器用ライニング１４は、大便器用ライニング１２と隣接して第１壁面ＫＢ１に取り付けられる。このように、大便器用ライニング１２及び小便器用ライニング１４は、互いに隣接した状態で、同一の壁面に取り付けられる。
【００３５】
小便器２２は、小便器用ライニング１４の前面に取り付けられる、いわゆる壁掛け式の小便器である。小便器２２は、壁掛け式に限ることなく、床置き式の小便器でもよい。また、この例において、小便器２２は、例えば、幼児用の小便器である。ここで、「幼児用の小便器」とは、例えば、１．５歳児〜５歳児程度までの使用を目的とし、床面からリップまでの高さＨＬが、２３０ｍｍ以上３３０ｍｍ以下程度の小便器である。これにより、トイレユニット１０では、例えば、保護者が大便器１６を利用し、幼児が小便器２２を利用することで、保護者と幼児とが同時に用を足すことができる。但し、小便器２２は、幼児用に限ることなく、成人用の小便器などでもよい。
【００３６】
第１壁面ＫＢ１から小便器２２の前端までの長さＬ１は、第１壁面ＫＢ１から大便器１６の前端までの長さＬ２よりも短い（図１参照）。小便器２２の長さＬ１は、例えば、大便器１６の長さＬ２よりも２０ｃｍ以上短い。これにより、小便器２２が、車いす利用者の邪魔になってしまうことを抑制することができる。トイレユニット１０の車いす利用者などに対する利便性を高めることができる。
【００３７】
小便器用ライニング１４は、第３前面板３３を、さらに有する。第３前面板３３は、第１前面板３１と第２前面板３２との間に設けられる。換言すれば、トイレユニット１０は、第１前面板３１と第２前面板３２との間に設けられた第３前面板３３を、さらに備える。
【００３８】
図３は、第１の実施形態に係るトイレユニットを表す正面図である。  
図４は、第１の実施形態に係るトイレユニットの一部を表す拡大正面図である。  
図３は、第３前面板３３を取り外した状態を表している。図４は、図３の破線囲み部Ａの部分を拡大して表している。
【００３９】
図３及び図４に表したように、小便器用ライニング１４は、第２前面板３２及び第３前面板３３を支持するフレーム４０を、さらに有する。フレーム４０は、例えば、略矩形の枠状である。小便器用ライニング１４は、フレーム４０の上方に設けられる天板と、フレーム４０の側方に設けられる側板と、をさらに有する。小便器用ライニング１４は、第２前面板３２、第３前面板３３、天板、及び側板によって、フレーム４０の前方、上方、及び側方のそれぞれを覆うことにより、内部空間を有する中空箱状に形成される。第２前面板３２及び第３前面板３３は、小便器用ライニング１４の前方部分に設けられ、小便器用ライニング１４の内部空間が前方に露出することを抑制する。
【００４０】
小便器用ライニング１４は、小便器２２の後方に設置され、小便器２２に接続される給水管４２や止水栓４４などを内部に収納する。第２前面板３２及び第３前面板３３は、換言すれば、小便器用ライニング１４の内部に収納された給水管４２や止水栓４４などが前方に露出することを抑制する。これにより、小便器用ライニング１４は、トイレ室ＴＲの美観を向上させる。
【００４１】
第２前面板３２は、例えば、ネジ止めなどにより、フレーム４０に固定される。一方、第３前面板３３は、フレーム４０に着脱可能に取り付けられる。第３前面板３３は、例えば、上端部及び下端部を上方からフレーム４０に係合させることにより、フレーム４０に着脱可能に取り付けられる。これにより、第３前面板３３は、例えば、小便器用ライニング１４の内部の点検を可能にする。第３前面板３３の取付方法は、係合に限ることなく、フレーム４０に対して着脱可能に取り付け可能な任意の取付方法でよい。
【００４２】
第３前面板３３は、例えば、フレーム４０に取り付けられた状態において、給水管４２及び止水栓４４の前方を覆う。従って、第３前面板３３を取り外した状態においては、給水管４２及び止水栓４４が前方に露出し、給水管４２及び止水栓４４の点検が可能になる。このように、第３前面板３３は、給水管４２や止水栓４４などの点検を可能にする点検用の前面板である。なお、第３前面板３３は、点検以外の用途で取り外すために、着脱可能としたものでもよい。例えば、小便器用ライニング１４の内部の空間を収納として用いるために、第３前面板３３を着脱可能としてもよい。
【００４３】
大便器用ライニング１２は、手摺り２４を設置するための第４前面板３４を、さらに有する。第４前面板３４は、第１前面板３１と第３前面板３３との間に設けられている。手摺り２４は、大便器１６と隣接して設けられ、前方側に向かって延びる。これにより、手摺り２４は、例えば、車いす利用者が移乗の際などに寄りかかれるようにする。このように、手摺り２４を設けることにより、車いす利用者などに対する利便性を高めることができる。
【００４４】
また、手摺り２４は、例えば、ヒンジ部２４ａを介して回動可能に設けられ、前方に向かって延びた状態から上方に向かって延びる状態に跳ね上げることができる。手摺り２４は、いわゆる跳ね上げ式の手摺りである。これにより、例えば、介護者などが寄り添う場合に、手摺り２４が邪魔になってしまうことを抑制することができる。従って、車いす利用者などに対する利便性を、より高めることができる。
【００４５】
手摺り２４は、跳ね上げ式に限ることなく、例えば、上下方向に延びるポール状の手摺りなどでもよい。また、手摺り２４及び第４前面板３４は、必要に応じて設けられ、省略可能である。
【００４６】
第３前面板３３の横方向（左右方向）の長さＷ１（幅）は、第２前面板３２の横方向の長さＷ２の半分の長さＷ３よりも長い。また、第３前面板３３の横方向の長さＷ１は、第２前面板３２の横方向の長さＷ２よりも短い。
【００４７】
大便器１６と小便器２２との間の横方向の間隔ＰＴは、例えば、５００ｍｍ程度以上である。これにより、小便器２２が、車いす利用者の邪魔になってしまうことを抑制することができる。
【００４８】
一方、間隔ＰＴが過度に広くなると、トイレユニット１０が大型化してしまうとともに、保護者と幼児とが同時に用を足す際に、保護者が幼児の不意な動作などに対応し難くなってしまう。従って、間隔ＰＴは、例えば、大便器１６を利用する保護者から幼児に手の届く範囲となるように設定されることが好ましい。成人の腕の長さの平均は、例えば、６００ｍｍ〜７００ｍｍ程度である。従って、間隔ＰＴは、例えば、６００ｍｍ以上７００ｍｍ以下程度に設定されることが、最も好適である。これにより、小便器２２が車いす利用者の邪魔になってしまうことを抑制しつつ、幼児の不意な動作などに保護者を対応させ易くすることができる。また、トイレユニット１０の大型化を抑制することもできる。
【００４９】
また、トイレユニット１０全体の横方向の長さＷＡは、例えば、２０００ｍｍ以下である。これにより、トイレユニット１０を比較的狭いスペースにも設置することが可能となる。第３前面板３３の横方向の長さＷ１、及び第４前面板３４の横方向の長さは、例えば、上記の各条件を満たすように設定される。
【００５０】
第３前面板３３は、隣接する第２前面板３２と面一である（図１参照）。第３前面板３３は、隣接する第４前面板３４と面一である。また、第４前面板３４は、隣接する第１前面板３１と面一である。すなわち、第１前面板３１〜第４前面板３４は、それぞれ面一である。第３前面板３３は、第１前面板３１及び第２前面板３２のそれぞれと面一である。第１前面板３１〜第４前面板３４は、フラットな面を形成する。
【００５１】
ここで、本願明細書において、「面一」とは、互いに隣接する２つの前面板の間に生じる段差（前後方向の位置のズレ）が、５ｍｍ以下であることをいう。例えば、第２前面板３２の左側端の前後方向の位置と、第３前面板３３の右側端の前後方向の位置と、の差は、５ｍｍ以下である。
【００５２】
以上、説明したように、本実施形態に係るトイレユニット１０によれば、大便器１６を設置する第１前面板３１と、小便器２２を設置する第２前面板３２と、の間に第３前面板３３を設けることにより、第３前面板３３の前方に車いす利用者のための移乗スペースを適切に確保することができる。また、第１前面板３１と第２前面板３２と第３前面板３３とを並べて配置することにより、大便器１６と小便器２２とを効率良く配置することができ、ユニット全体のコンパクト化を図ることもできる。従って、大便器１６と小便器２２とを設ける場合においても、車いす利用者のための十分な移乗スペースを確保しつつ、ユニット全体をコンパクト化できるトイレユニット１０を提供することができる。
【００５３】
また、トイレユニット１０では、第３前面板３３をフレーム４０に対して着脱可能とすることにより、例えば、第３前面板３３を取り外すことで、小便器用ライニング１４内の点検を容易に行うことが可能となる。例えば、車いす利用者の移乗スペースと、小便器用ライニング１４の点検用のスペースと、を同時に確保することができる。点検用のスペースを効率良く確保することができ、ユニット全体をよりコンパクト化し易くすることができる。
【００５４】
また、トイレユニット１０では、第３前面板３３の横方向の長さＷ１が、第２前面板３２の横方向の長さＷ２の半分の長さＷ３よりも長い。これにより、車いす利用者の移乗スペースを、より適切に確保することができる。
【００５５】
また、トイレユニット１０では、第２前面板３２に設置される小便器２２が、幼児用の小便器である。これにより、大便器１６を利用する保護者のそばで幼児に小便器２２を利用させることができ、保護者及び幼児の双方に安心感を与えることができる。例えば、幼児の不意な動作などに、保護者が対応し易くすることができる。
【００５６】
また、トイレユニット１０では、手摺り２４を設けることで、車いす利用者に大便器１６をより利用させ易くすることができる。また、手摺り２４は、利用者の握り易い程度の太さに設定される。第４前面板３４の左右方向の長さは、手摺り２４の太さに対応し、手摺り２４の太さよりも僅かに長い程度に設定される。従って、第１前面板３１と第３前面板３３との間に第４前面板３４を設けたとしても、ユニット全体が過度に大きくなることはない。すなわち、ユニット全体のコンパクト化を図りつつ、車いす利用者に対する利便性を向上させることができる。
【００５７】
また、トイレユニット１０では、第３前面板３３が、第１前面板３１及び第２前面板３２のそれぞれと面一である。これにより、スッキリとした外観を提供することができ、トイレユニット１０の見栄えを向上させることができる。また、大便器１６を利用する保護者と小便器２２を利用する幼児との間において、互いを見易くすることができる。これにより、保護者及び幼児に、より安心感を与えることができる。
【００５８】
図５（ａ）及び図５（ｂ）は、第１の実施形態に係るトイレユニットの変形例を表す正面図である。  
なお、上記実施形態と機能・構成上実質的に同じものについては、同符号を付し、詳細な説明は省略する。  
図５（ａ）に表したトイレユニット１０ａのように、大便器用ライニング１２は、第４前面板３４を有しなくてもよい。この場合には、トイレユニット１０ａのように、第３前面板３３を第１前面板３１に隣接させて配置すればよい。
【００５９】
また、図５（ｂ）に表したトイレユニット１０ｂのように、第３前面板３３は、大便器用ライニング１２に設けてもよい。第３前面板３３は、例えば、大便器用ライニング１２の点検用の前面板としてもよい。あるいは、第３前面板３３は、大便器用ライニング１２において、手摺り２４を設置するための前面板としてもよい。このように、第３前面板３３は、第１前面板３１と第２前面板３２との間に設けられる任意の前面板でよい。
【００６０】
（第２の実施形態）  
図６は、第２の実施形態に係るトイレユニットを表す正面図である。  
図６に表したように、この例のトイレユニット６０は、ベビーチェア用ライニング６２を、さらに備える。ベビーチェア用ライニング６２は、大便器用ライニング１２と小便器用ライニング１４との間に設けられている。ベビーチェア用ライニング６２は、第３前面板３３を有する。この例において、第３前面板３３は、ベビーチェア６４を設置するための前面板である。
【００６１】
ベビーチェア６４は、生後５ヶ月から２歳半程度までの乳幼児を座らせるための椅子である。ベビーチェア６４は、トイレ室ＴＲの床面から浮いた状態で、ベビーチェア用ライニング６２の前面に取り付けられる。
【００６２】
ベビーチェア用ライニング６２は、例えば、フィッティングボード６６を、さらに有する。フィッティングボード６６は、ベビーチェア用ライニング６２の前面において、ベビーチェア６４の下方に取り付けられている。フィッティングボード６６は、例えば、ヒンジ部６６ａを介して回動可能に設けられている。フィッティングボード６６は、例えば、第３前面板３３から前方に延び、使用者が載って着替えなどを行えるようにする使用状態と、第３前面板３３に沿う収納状態と、に移動する。フィッティングボード６６は、必要に応じて設けられ、省略可能である。
【００６３】
また、トイレユニット６０において、小便器用ライニング１４は、第５前面板３５を、さらに有する。第５前面板３５は、第２前面板３２の左右方向の第３前面板３３と反対側に設けられている。換言すれば、トイレユニット６０においては、第３前面板３３と第５前面板３５との間に、第２前面板３２が設けられている。第５前面板３５は、例えば、小便器用ライニング１４の点検用の前面板である。
【００６４】
このように、第１前面板３１と第２前面板３２との間に、ベビーチェア６４を設置するための第３前面板３３が設けられた場合には、第２前面板３２の第３前面板３３と反対側に点検用の第５前面板３５が設けられる。なお、第５前面板３５は、必要に応じて設けられ、省略可能である。
【００６５】
このように、第３前面板３３は、ベビーチェア６４を設置するための前面板としてもよい。このトイレユニット６０によれば、大便器１６のそばにベビーチェア６４を配置することができる。これにより、大便器１６を利用する保護者のそばに乳幼児を座らせることができ、保護者及び乳幼児の双方に安心感を与えることができる。例えば、乳幼児の不意な動作などに、保護者が対応し易くすることができる。また、第３前面板３３にベビーチェア６４を設置した場合、ベビーチェア６４の下方には、空間ができる。さらに、ベビーチェア６４の前端部は、大便器１６の前端部よりも後方に位置する。従って、第３前面板３３にベビーチェア６４を設置したとしても、ベビーチェア６４が車いす利用者の妨げになってしまうことを抑制することができる。このように、ベビーチェア６４をさらに設置した場合にも、大便器１６と小便器２２とベビーチェア６４とを効率良く配置することができ、ユニット全体のコンパクト化を図ることができる。
【００６６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、トイレユニット１０、１０ａ、１０ｂ、６０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６７】
１０、１０ａ、１０ｂ、６０ トイレユニット、  １２ 大便器用ライニング、  １４ 小便器用ライニング、  １６ 大便器、  １８ 便座装置、  ２０ 背もたれ、  ２２ 小便器、  ２４ 手摺り、  ３１ 第１前面板、  ３２ 第２前面板、  ３３ 第３前面板、  ３４ 第４前面板、  ３５ 第５前面板、  ４０ フレーム、  ４２ 給水管、  ４４ 止水栓、  ６２ ベビーチェア用ライニング、  ６４ ベビーチェア、  ６６ フィッティングボード、  ＫＢ１ 第１壁面、  ＫＢ２ 第２壁面、  ＴＲ トイレ室
【図１】
2019070265.tif 000003
【図２】
2019070265.tif 000004
【図３】
2019070265.tif 000005
【図４】
2019070265.tif 000006
【図５】
2019070265.tif 000007
【図６】
2019070265.tif 000008